【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
撮像対象となる光像を少なくとも３色の色フィルタを介して各色成分毎の画像情報に光電変換する撮像素子と、
この撮像素子で得た画像情報における各色成分の値を求める第１の演算手段と、
この第１の演算手段で求めた各色成分の値を用い、各色成分の値が等しくなるようなホワイトバランスの調整値を算出する第２の演算手段と、
前記第２の演算手段により算出されたホワイトバランスの調整値に達するまでの間、各色成分に対するゲインを徐々に増減させる第１の調整手段と、
所定の条件である場合は、前記第２の演算手段により算出されたホワイトバランスの調整値となるように、各色成分に対するゲインを直ちに調整する第２の調整手段と
を具備したことを特徴とする電子撮像装置。
【請求項２】
前記第１の演算手段は、各色成分毎に前記画像情報を平均することによって前記各色成分の値を求め、
前記第２の演算手段は、最も輝度信号に近い色成分の値を基準とし、他の色成分の値がこの基準となる色成分の値に等しくなるようなホワイトバランスの調整値を算出し、
前記第１の調整手段および前記第２の調整手段は、前記他の色成分に対するゲインを調整する
ことを特徴とする請求項１記載の電子撮像装置。
【請求項３】
前記第１の調整手段は、前記ホワイトバランスの調整値に達するまでの間、各色成分に対するゲインを所定値づつ徐々に増減させることを特徴とする請求項１または２記載の電子撮像装置。
【請求項４】
前記第１の調整手段は、各色成分に対するゲインが前記ホワイトバランスの調整値に近づくに従って前記増減の幅が徐々に小さくなるように制御することを特徴とする請求項１または２記載の電子撮像装置。
【請求項５】
撮像対象となる光像を少なくとも３色の色フィルタを介して各色成分毎の画像情報に光電変換する撮像素子と、
この撮像素子で得た画像情報における各色成分の値を求める第１の演算手段と、
この第１の演算手段で求めた各色成分の値を用い、各色成分の値が等しくなるようなホワイトバランスの調整値を算出する第２の演算手段と、
自動露出機能による絞り値が変化した場合は、前記第２の演算手段により算出されたホワイトバランスの調整値となるように、各色成分に対するゲインを調整する調整手段と、
自動露出機能による絞り値が変化していない場合は、前記調整手段によるゲインの調整をロックする制御手段と
を具備したことを特徴とする電子撮像装置。
【請求項６】
撮像対象となる光像を少なくとも３色の色フィルタを介して各色成分毎の画像情報に光電変換する撮像素子で得た、各色成分毎の画像情報の平均値を求める第１の演算工程と、
この第１の演算工程で求めた各色成分毎の画像情報の平均値を用い、最も輝度信号に近い色成分の画像情報の平均値を基準として他の各色成分毎の画像情報の平均値に対する第１の係数を求める第２の演算工程と、
この第２の演算工程で求めた各第１の係数によりホワイトバランスの調整値を算出する第３の演算工程と、
前記第３の演算工程で算出したホワイトバランスの調整値に対して所定値を加減して微調整する第４の演算工程と、
所定の条件である場合は、前記第３の演算工程で算出したホワイトバランスの調整値となるように直ちに調整する第４の演算工程と
を有したことを特徴とするホワイトバランス調整方法。
【請求項７】
撮像対象となる光像を少なくとも３色の色フィルタを介して各色成分毎の画像情報に光電変換する撮像素子で得た画像情報における各色成分の値を求める第１の演算工程と、
この第１の演算工程で求めた各色成分の値を用い、各色成分の値が等しくなるようなホワイトバランスの調整値を算出する第２の演算工程と、
自動露出機能による絞り値が変化した場合は、前記第２の演算工程により算出されたホワイトバランスの調整値となるように、各色成分に対するゲインを調整し、自動露出機能による絞り値が変化していない場合は、前記各色成分に対するゲインの調整をロックする調整工程と
を有したことを特徴とするホワイトバランス調整方法。
【手続補正２】
【補正対象書類名】明細書
【補正対象項目名】００１４
【補正方法】変更
【補正の内容】
【００１４】
【課題を解決するための手段】
請求項１記載の発明は、撮像対象となる光像を少なくとも３色の色フィルタを介して各色成分毎の画像情報に光電変換する撮像素子と、この撮像素子で得た画像情報における各色成分の値を求める第１の演算手段と、この第１の演算手段で求めた各色成分の値を用い、各色成分の値が等しくなるようなホワイトバランスの調整値を算出する第２の演算手段と、前記第２の演算手段により算出されたホワイトバランスの調整値に達するまでの間、各色成分に対するゲインを徐々に増減させる第１の調整手段と、所定の条件である場合は、前記第２の演算手段により算出されたホワイトバランスの調整値となるように、各色成分に対するゲインを直ちに調整する第２の調整手段とを具備したことを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項２記載の発明は、上記請求項１記載の発明において、前記第１の演算手段は、各色成分毎に前記画像情報を平均することによって前記各色成分の値を求め、前記第２の演算手段は、最も輝度信号に近い色成分の値を基準とし、他の色成分の値がこの基準となる色成分の値に等しくなるようなホワイトバランスの調整値を算出し、前記第１の調整手段および前記第２の調整手段は、前記他の色成分に対するゲインを調整することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項３記載の発明は、上記請求項１または２記載の発明において、前記第１の調整手段は、前記ホワイトバランスの調整値に達するまでの間、各色成分に対するゲインを所定値づつ徐々に増減させることを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
請求項４記載の発明は、上記請求項１または２記載の発明において、前記第１の調整手段は、各色成分に対するゲインが前記ホワイトバランスの調整値に近づくに従って前記増減の幅が徐々に小さくなるように制御することを特徴とする。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
請求項５記載の発明は、撮像対象となる光像を少なくとも３色の色フィルタを介して各色成分毎の画像情報に光電変換する撮像素子と、この撮像素子で得た画像情報における各色成分の値を求める第１の演算手段と、この取得手段で求めた各色成分の値を用い、各色成分の値が等しくなるようなホワイトバランスの調整値を算出する第２の演算手段と、自動露出機能による絞り値が変化した場合は、前記第２の演算手段により算出されたホワイトバランスの調整値となるように、各色成分に対するゲインを調整する調整手段と、自動露出機能による絞り値が変化していない場合は、前記調整手段によるゲインの調整をロックする制御手段とを具備したことを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
請求項６記載の発明は、撮像対象となる光像を少なくとも３色の色フィルタを介して各色成分毎の画像情報に光電変換する撮像素子で得た、各色成分毎の画像情報の平均値を求める第１の演算工程と、この第１の演算工程で求めた各色成分毎の画像情報の平均値を用い、最も輝度信号に近い色成分の画像情報の平均値を基準として他の各色成分毎の画像情報の平均値に対する第１の係数を求める第２の演算工程と、この第２の演算工程で求めた各第１の係数によりホワイトバランスの調整値を算出する第３の演算工程と、前記第３の演算工程で算出したホワイトバランスの調整値に対して所定値を加減して微調整する第４の演算工程と、所定の条件である場合は、前記第３の演算工程で算出したホワイトバランスの調整値となるように直ちに調整する第４の演算工程と、を有したことことを特徴とする。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
請求項７記載の発明は、撮像対象となる光像を少なくとも３色の色フィルタを介して各色成分毎の画像情報に光電変換する撮像素子で得た画像情報における各色成分の値を求める第１の演算工程と、この第１の演算工程で求めた各色成分の値を用い、各色成分の値が等しくなるようなホワイトバランスの調整値を算出する第２の演算工程と、自動露出機能による絞り値が変化した場合は、前記第２の演算工程により算出されたホワイトバランスの調整値となるように、各色成分に対するゲインを調整し、自動露出機能による絞り値が変化していない場合は、前記各色成分に対するゲインの調整をロックする調整工程とを有したことことを特徴とする。
【手続補正１５】
【補正対象書類名】明細書
【補正対象項目名】００２７
【補正方法】削除
【補正の内容】
【手続補正１６】
【補正対象書類名】明細書
【補正対象項目名】００９５
【補正方法】変更
【補正の内容】
【００９５】
【発明の効果】
請求項１または請求項６記載の発明によれば、所定の条件である場合は、直ちにホワイトバランスを調整し、それ以外の場合は、徐々にホワイトバランスを調整することができるので、例えば、露出値が大きく変化するなどでホワイトバランスが大きく変化した場合にはこれに迅速に追従する反面、一旦ホワイトバランスが調整された後はホワイトバランスの変化に対しても過敏に反応せず、動画撮影時などにおいて自然な画像を得ることが可能となる。
【手続補正１７】
【補正対象書類名】明細書
【補正対象項目名】００９６
【補正方法】変更
【補正の内容】
【００９６】
請求項２記載の発明によれば、上記請求項１記載の発明の効果に加えて、最も輝度信号に近い色成分の画像情報の平均値に対する他の色成分の画像情報の平均値の係数からホワイトバランスの調整値を算出することで、一括してホワイトバランスを調整することができ、より短時間のうちに被写体の変化に対してホワイトバランスを追従させることができる。
【手続補正１８】
【補正対象書類名】明細書
【補正対象項目名】００９７
【補正方法】変更
【補正の内容】
【００９７】
請求項３または４記載の発明によれば、上記請求項１または２記載の発明の効果に加えて、ホワイトバランスの粗調整後に正確な調整値に収束するまでの画像での色合いの変化を自然なものとすることができる。
【手続補正１９】
【補正対象書類名】明細書
【補正対象項目名】００９８
【補正方法】変更
【補正の内容】
【００９８】
請求項５または７記載の発明によれば、絞り値に変化が生じた際にのみ、ホワイトバランス調整をし直すこととなるので、絞り値が変化しない状態では表示される被写体の画像の色合いが急激に変化してしまうことがなく、モニタ表示される画像が極めて自然な違和感のないものとなる。
【手続補正２０】
【補正対象書類名】明細書
【補正対象項目名】００９９
【補正方法】削除
【補正の内容】